(57)【特許請求の範囲】
【請求項１】
外面に標記が付された容器を当該容器の取り出し部まで移動させ陳列する陳列装置に設置可能な設置ユニットであって、
移動する前記容器を周方向に回転させる回転機構と、
前記陳列装置に対し装着されるとともに前記回転機構を支持する支持部材と、
を備え、
前記支持部材は、
前記取り出し部まで移動する前記容器の移動経路に沿うように設けられた第１の側壁部と、
前記第１の側壁部と対向するとともに前記容器の前記移動経路に沿うように設けられた第２の側壁部と、
前記容器の前記移動経路の上方に設けられ、前記第１の側壁部と前記第２の側壁部とに支持される天井部と、
を備える設置ユニット。
【請求項２】
前記支持部材は、前記容器の前記移動経路に沿うように設置され移動する当該容器のガイドを行うとともに当該移動経路と当該移動経路に隣接する他の移動経路との間に配置された仕切り部材をさらに有し、且つ、当該仕切り部材と一体で形成されていることを特徴とする請求項１記載の設置ユニット。
【請求項３】
前記天井部は、前記第１の側壁部に取り付けられた第１の部位と前記第２の側壁部に取り付けられた第２の部位とに分割可能に構成されていることを特徴とする請求項１又は２
に記載の設置ユニット。
【請求項４】
前記天井部は、前記第１の側壁部および前記第２の側壁部とは別部材で構成され取り外し可能に設けられていることを特徴とする請求項１又は２に記載の設置ユニット。
【請求項５】
前記天井部は、前記第１の側壁部および前記第２の側壁部と一体で形成されていることを特徴とする請求項１又は２に記載の設置ユニット。
【請求項６】
外面に標記が付された容器を当該容器の取り出し部まで移動させ陳列する陳列装置に設置可能な設置ユニットであって、
移動する前記容器を周方向に回転させる回転機構と、
前記陳列装置に対し装着されるとともに前記回転機構を支持する支持部材と、
を備え、
前記陳列装置には、前記取り出し部まで移動する前記容器をガイドするとともに当該容器の移動経路と当該移動経路に隣接する他の移動経路との間に配置された仕切り部材が設けられ、
前記支持部材は、前記仕切り部材に載せることができるように構成されている設置ユニット。
【請求項７】
前記支持部材は、
前記仕切り部材の上部に載せられる第１の側壁部と、
前記仕切り部材に隣接して設けられた他の仕切り部材の上部に載せられる第２の側壁部と、
前記容器の前記移動経路の上方に設けられ、前記第１の側壁部と前記第２の側壁部とに支持される天井部と、
を備えていることを特徴とする請求項６記載の設置ユニット。
【請求項８】
前記第１の側壁部、前記第２の側壁部、および前記天井部の各々は、別々の部材で構成されていることを特徴とする請求項７記載の設置ユニット。
【請求項９】
前記第１の側壁部および前記第２の側壁部の各々は、溝を有し、
前記第１の側壁部の前記溝に前記仕切り部材が差し込まれ、前記第２の側壁部の前記溝に前記他の仕切り部材が差し込まれることで、前記支持部材が固定されることを特徴とする請求項７又は請求項８記載の設置ユニット。
【請求項１０】
前記天井部は、前記第１の側壁部および前記第２の側壁部と一体で形成されていることを特徴とする請求項７乃至９の何れかに記載の設置ユニット。
【請求項１１】
外面に標記が付された容器の移動経路を略平行に配置された一対の仕切り部材を用いて形成し投入された当該容器を当該移動経路に沿って移動させ陳列する陳列装置に設置可能な設置ユニットであって、
前記一対の仕切り部材のうちの一方の仕切り部材に固定される第１の固定部と、
前記一対の仕切り部材のうちの他方の仕切り部材に固定される第２の固定部と、
前記第１の固定部が前記一方の仕切り部材に固定され前記第２の固定部が前記他方の仕切り部材に固定された場合に前記容器の前記移動経路上に位置し、当該移動経路を移動する当該容器を周方向に回転させる回転機構と、
を備える設置ユニット。
【請求項１２】
前記回転機構は、前記移動経路の側方から当該移動経路上に突出する複数の突出部を備え、前記容器に形成され当該容器の外周面と交差する関係で配置された面に対し当該突出部を接触させ当該容器を前記周方向に回転させることを特徴とする請求項１１記載の設置ユニット。
【請求項１３】
前記交差する関係で配置された面と前記突出部とが接触するように前記容器を誘導する誘導部を更に備えることを特徴とする請求項１２記載の設置ユニット。
【請求項１４】
前記回転機構は、前記容器の前記標記が特定の方向を向いていない場合に当該容器の予め定められた部位を下方から支持し当該容器を傾斜させる傾斜部と、当該傾斜部により傾斜した当該容器の外周面に接触し当該容器に対し抗力を付与する抗力付与部とを備え、当該抗力付与部から当該容器に当該抗力を付与することで当該容器を前記周方向に回転させることを特徴とする請求項１１記載の設置ユニット。
【請求項１５】
前記回転機構は、前記容器の前記標記が特定の方向を向いていない場合に当該容器の予め定められた部位を下方から支持する支持部を有し、当該支持部を用いて当該容器を傾斜させるとともに、当該予め定められた部位を当該支持部に対して滑らせ又は当該予め定められた部位に対し当該支持部から抗力を付与し当該容器を前記周方向に回転させることを特徴とする請求項１１記載の設置ユニット。
【請求項１６】
前記容器の前記移動経路の上方に設けられ且つ前記第１の固定部と前記第２の固定部とを接続する接続部を更に備え、
前記第１の固定部、前記第２の固定部、および前記接続部のいずれか一つは交換可能に設けられていることを特徴とする請求項１１乃至１５の何れかに記載の設置ユニット。
【請求項１７】
前記一対の仕切り部材のうちの片方の仕切り部材に隣接して設けられ前記移動経路に隣接する第２の移動経路を形成する第３の仕切り部材に固定される第３の固定部と、
前記第１の固定部が前記一方の仕切り部材に固定され前記第２の固定部が前記他方の仕切り部材に固定され前記第３の固定部が前記第３の仕切り部材に固定された場合に前記第２の移動経路上に位置し、当該第２の移動経路を移動する前記容器を周方向に回転させる第２の回転機構と、
を更に備えることを特徴とする請求項１１乃至１６の何れかに記載の設置ユニット。
【請求項１８】
外面に標記が付された容器を当該容器の取り出し部まで移動させ陳列する陳列装置に設置可能な設置ユニットであって、
移動する前記容器を周方向に回転させる回転機構と、
前記回転機構とは別体で形成され、前記陳列装置に対し装着されるとともに前記回転機構を支持する支持部材と、
を有し、
前記支持部材は、
前記容器が移動する移動経路の一方側にて前記陳列装置に固定される第１の固定部材と、
前記容器が移動する移動経路の他方側にて前記陳列装置に固定される第２の固定部材と、
前記容器が移動する移動経路の上方に設けられ、前記第１の固定部材と前記第２の固定部材とを接続する接続部材と、
を備え、
前記支持部材は、前記第１の固定部材、前記第２の固定部材、および前記接続部材が組み立てられることで形成されており、
前記設置ユニットは、前記回転機構および前記組み立てにより形成された前記支持部材が組み立てられることで形成されていることを特徴とする設置ユニット。
【発明の詳細な説明】
【技術分野】
【０００１】
本発明は、容器を陳列する陳列装置に設置される設置ユニット等に関する。
【背景技術】
【０００２】
例えばコンビニエンスストアなどにおいては、飲料缶やペットボトルなど飲料が充填された容器が、例えば陳列ケースに収容された陳列装置に縦置きに載せられて販売される。
そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。さらに、容器に関するものとして、缶底に形成された環状凸部の内周壁に、内側凹部と縦リブとが円周方向に交互に形成された缶が提案されている（例えば、特許文献３参照）。
【先行技術文献】
【特許文献】
【０００３】
【特許文献１】特開平１１−１５５７０１号公報
【特許文献２】米国特許第６５０２４０８号
【特許文献３】特開２０００−２１１６２４号公報
【発明の概要】
【発明が解決しようとする課題】
【０００４】
ところで、容器の外面には、商品名や商標名などの標記が設けられるが、この標記が購入者の取り出し方向に向いていないと、商品の識別がしにくくなるとともに、商品の陳列時の見栄えが悪くなる。このため、容器を陳列する陳列装置では、例えば陳列装置の前方側など、標記が所定の方向に向いていることが好ましい。
ここで、移動する容器の外周面に対し抗力することによって容器を周方向に回転させることができ、容器に付された標記を当初の方向とは異なる方向に向けることができる。ところで容器を回転させる機能を有した専用の陳列装置を開発／設置する場合、既存の陳列装置を利用する場合に比べコストがかかるようになる。
【課題を解決するための手段】
【０００５】
本発明が適用される設置ユニットは、外面に標記が付された容器を容器の取り出し部まで移動させ陳列する陳列装置に設置可能な設置ユニットであって、移動する容器を周方向に回転させる回転機構と、陳列装置に対し装着されるとともに回転機構を支持する支持部材と、を備える設置ユニットである。
【０００６】
ここで、支持部材は、取り出し部まで移動する容器の移動経路に沿うように設けられた第１の側壁部と、第１の側壁部と対向するとともに容器の移動経路に沿うように設けられた第２の側壁部と、容器の移動経路の上方に設けられ、第１の側壁部と第２の側壁部とに支持される天井部と、を備えていることを特徴とすることができる。また、支持部材は、容器の移動経路に沿うように設置され移動する容器のガイドを行うとともに移動経路と移動経路に隣接する他の移動経路との間に配置された仕切り部材をさらに有し、且つ、仕切り部材と一体で形成されていることを特徴とすることができる。また、天井部は、第１の側壁部に取り付けられた第１の部位と第２の側壁部に取り付けられた第２の部位とに分割可能に構成されていることを特徴とすることができる。また、天井部は、第１の側壁部および第２の側壁部とは別部材で構成され取り外し可能に設けられていることを特徴とすることができる。また、天井部は、第１の側壁部および第２の側壁部と一体で形成されていることを特徴とすることができる。
【０００７】
また、陳列装置には、取り出し部まで移動する容器をガイドするとともに容器の移動経路と移動経路に隣接する他の移動経路との間に配置された仕切り部材が設けられ、支持部材は、仕切り部材に載せることができるように構成されていることを特徴とすることができる。また、支持部材は、仕切り部材の上部に載せられる第１の側壁部と、仕切り部材に隣接して設けられた他の仕切り部材の上部に載せられる第２の側壁部と、容器の移動経路の上方に設けられ、第１の側壁部と第２の側壁部とに支持される天井部と、を備えていることを特徴とすることができる。また、第１の側壁部、第２の側壁部、および天井部の各々は、別々の部材で構成されていることを特徴とすることができる。
【０００８】
また、第１の側壁部および第２の側壁部の各々は、溝を有し、第１の側壁部の溝に仕切り部材が差し込まれ、第２の側壁部の溝に他の仕切り部材が差し込まれることで、支持部材が固定されることを特徴とすることができる。また、天井部は、第１の側壁部および第２の側壁部と一体で形成されていることを特徴とすることができる。また、支持部材は、容器の移動経路の一方の側方側に設けられるとともに移動経路に対峙して設けられた側面を有し、回転機構は、支持部材の側面に取り付けられていることを特徴とすることができる。また、回転機構は、容器の移動経路の上方に設けられる天井部に設けられていることを特徴とすることができる。また、回転機構は、支持部材から取り外し可能に設けられていることを特徴とすることができる。
【０００９】
他の観点から捉えると、本発明が適用される設置ユニットは、外面に標記が付された容器の移動経路を略平行に配置された一対の仕切り部材を用いて形成し投入された容器を移動経路に沿って移動させ陳列する陳列装置に設置可能な設置ユニットであって、一対の仕切り部材のうちの一方の仕切り部材に固定される第１の固定部と、一対の仕切り部材のうちの他方の仕切り部材に固定される第２の固定部と、第１の固定部が一方の仕切り部材に固定され第２の固定部が他方の仕切り部材に固定された場合に容器の移動経路上に位置し、移動経路を移動する容器を周方向に回転させる回転機構と、を備える設置ユニットである。
【００１０】
ここで、回転機構は、移動経路の側方から移動経路上に突出する複数の突出部を備え、容器に形成され容器の外周面と交差する関係で配置された面に対し突出部を接触させ容器を周方向に回転させることを特徴とすることができる。また、交差する関係で配置された面と突出部とが接触するように容器を誘導する誘導部を更に備えることを特徴とすることができる。さらに、回転機構は、容器の標記が特定の方向を向いていない場合に容器の予め定められた部位を下方から支持し容器を傾斜させる傾斜部と、傾斜部により傾斜した容器の外周面に接触し容器に対し抗力を付与する抗力付与部とを備え、抗力付与部から容器に抗力を付与することで容器を周方向に回転させることを特徴とすることができる。
【００１１】
また、回転機構は、容器の標記が特定の方向を向いていない場合に容器の予め定められた部位を下方から支持する支持部を有し、支持部を用いて容器を傾斜させるとともに、予め定められた部位を支持部に対して滑らせ又は予め定められた部位に対し支持部から抗力を付与し容器を周方向に回転させることを特徴とすることができる。また、容器の移動経路の上方に設けられ且つ第１の固定部と第２の固定部とを接続する接続部を更に備え、第１の固定部、第２の固定部、および接続部のいずれか一つは交換可能に設けられていることを特徴とすることができる。さらに、一対の仕切り部材のうちの片方の仕切り部材に隣接して設けられ移動経路に隣接する第２の移動経路を形成する第３の仕切り部材に固定される第３の固定部と、第１の固定部が一方の仕切り部材に固定され第２の固定部が他方の仕切り部材に固定され第３の固定部が第３の仕切り部材に固定された場合に第２の移動経路上に位置し、第２の移動経路を移動する容器を周方向に回転させる第２の回転機構と、を更に備えることを特徴とすることができる。また本発明を容器回転用部材と捉えた場合、本発明が適用される容器回転用部材は、外面に標記が付された容器を容器の取り出し部まで予め定められた移動経路に沿って移動させ陳列する陳列装置に設置可能な設置ユニットに装着される装着部と、装着部が設置ユニットに装着されることにより位置決めされ、移動経路を移動する容器を周方向に回転させる回転部と、を備える容器回転用部材である。また本発明を設置ユニットと捉えた場合、本発明が適用される設置ユニットは、外面に標記が付された容器を容器の取り出し部まで移動させ陳列する陳列装置に設置可能な設置ユニットであって、移動する容器を周方向に回転させる回転機構と、回転機構とは別体で形成され、陳列装置に対し装着されるとともに回転機構を支持する支持部材と、を有し、支持部材は、容器が移動する移動経路の一方側にて陳列装置に固定される第１の固定部材と、容器が移動する移動経路の他方側にて陳列装置に固定される第２の固定部材と、容器が移動する移動経路の上方に設けられ、第１の固定部材と第２の固定部材とを接続する接続部材と、を備え、支持部材は、第１の固定部材、第２の固定部材、および接続部材が組み立てられることで形成されており、設置ユニットは、回転機構および組み立てにより形成された支持部材が組み立てられることで形成されていることを特徴とする設置ユニットである。
【発明の効果】
【００１２】
本発明を採用しない場合に比べ、容器を周方向に回転させる回転機能を、陳列装置に対しより安価に付与可能となる。
【図面の簡単な説明】
【００１３】
【図１】本発明の実施形態に係る陳列装置の概略構成を示した図である。
【図２】陳列装置の上面図および右側面図である。
【図３】陳列装置の正面図である。
【図４】容器を説明するための図である。
【図５】容器を説明するための図である。
【図６】陳列装置における容器の動作を説明するための図である。
【図７】容器の他の動作例を示した図である。
【図８】容器の他の動作例を示した図である。
【図９】容器の他の構成例を示した図である。
【図１０】容器の他の構成例を示した図である。
【図１１】陳列装置における容器の動作を示した図である。
【図１２】容器の変形例を示した図である。
【図１３】容器の変形例を示した図である。
【図１４】容器の他の変形例を示した図である。
【図１５】容器の他の変形例を示した図である。
【図１６】陳列装置における容器の動作を示した図である。
【図１７】陳列装置の他の一形態を示した図である。
【図１８】陳列装置の他の一形態を示した図である。
【図１９】容器の他の一形態を示した図である。
【図２０】陳列装置の他の一形態を示した図である。
【図２１】陳列装置の他の一形態を示した図である。
【図２２】陳列装置の他の一形態を示した図である。
【図２３】陳列装置の他の一形態を示した図である。
【図２４】容器の動作を説明するための図である。
【図２５】容器の動作を説明するための図である。
【図２６】容器の他の一形態を示した図である。
【図２７】陳列装置の他の一形態を示した図である。
【図２８】陳列装置の他の一形態を示した図である。
【図２９】陳列装置の他の一形態を示した図である。
【図３０】陳列装置の他の一形態を示した図である。
【図３１】容器の動作を説明するための図である。
【図３２】容器の動作を説明するための図である。
【図３３】回転ユニットの他の一形態を説明するための図である。
【図３４】回転ユニットの他の一形態を説明するための図である。
【図３５】回転ユニットの配置態様を示した図である。
【図３６】陳列装置の他の一形態を示す図である。
【図３７】陳列装置の他の形態を示した図である。
【図３８】陳列装置の他の形態を示した図である。
【図３９】陳列装置の他の形態を示した図である。
【図４０】陳列装置の他の形態を示した図である。
【図４１】陳列装置の他の形態を示した図である。
【図４２】陳列装置の他の形態を示した図である。
【図４３】陳列装置の他の形態を示した図である。
【図４４】陳列装置の他の形態を示した図である。
【図４５】陳列装置の他の形態を示した図である。
【図４６】陳列装置の他の形態を示した図である。
【図４７】陳列装置の他の形態を示した図である。
【図４８】陳列装置の他の形態を示した図である。
【図４９】陳列装置の他の形態を示した図である。
【図５０】陳列装置の他の形態を示した図である。
【図５１】陳列装置の他の形態を示した図である。
【発明を実施するための形態】
【００１４】
以下、添付図面を参照して、本発明を実施するための形態について説明する。
図１は、本発明の実施形態に係る陳列装置の概略構成を示した図である。
同図（Ａ）に示すように本実施形態における陳列装置３０は、商品名、商標名など他の商品と識別するための識別標記２３を含む図柄が印刷されたフィルムＦが外周面に装着され且つ飲料が内部に充填された容器２０が載せられる載置部３１と、容器２０の移動経路（移動路）を形成するとともに容器２０の移動を案内する複数の仕切り部材３２とを備えている。なお仕切り部材３２は、容器２０の移動経路とこの移動経路に隣接する他の移動経路との間に配置され、容器２０が列状に配列される一の領域と、容器２０が同じく列状に配列される他の領域とを仕切る機能を有している。
【００１５】
ここで仕切り部材３２は、容器２０が移動する移動方向と直交する方向である陳列装置３０の幅方向において並んで配置されている。また各々の仕切り部材３２は、略平行に配置されている。さらに各々の仕切り部材３２は、板状に形成されるとともに載置部３１の容器載置面３１Ａと直交する関係で配置されている。さらに、各々の仕切り部材３２は、長手方向における一端部および他端部且つ下部に、不図示の突起を備えている。そして各仕切り部材３２は、この突起が載置部３１に形成された孔３１Ｂに挿入されることで載置部３１に固定されている。
【００１６】
また陳列装置３０は、載置部３１の一側辺に沿って配置され、容器２０の移動を停止させる、好ましくは透明に形成される規制板３４を備えている。また、陳列装置３０には、容器２０を回転させ容器２０に付された識別標記２３を前方に向ける回転ユニット５０（設置ユニットの一例）が設置されている。この回転ユニット５０は、仕切り部材３２や載置部３１とは別の部品として構成され、互いに隣接する一対の仕切り部材３２の上部に載せられている。このように、回転ユニット５０を別部材として構成した場合、既存の陳列装置３０に対して容器２０の回転機能を付与できる。付言すると、回転ユニット５０を別部材として構成した場合、容器２０の回転機能を有した専用の陳列装置３０を開発、設計等せずに済む。
【００１７】
ここで陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。ここで陳列装置３０は、陳列ケース１０に設けられた棚（不図示）の上に載せられる。この際、陳列装置３０は、規制板３４が設けられた側がドア１０Ｂ側に位置するように設置される。また陳列装置３０の載置部３１は、規制板３４が設けられた側が、規制板３４が設けられた側とは反対側よりも下方に位置するように配置される。即ち、陳列装置３０の載置部３１は、陳列ケース１０の後方側から容器２０が取り出される前方側（取り出し部側）に向かって下り傾斜した状態で配置される。
【００１８】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は載置部３１上をドア１０Ｂ側に向かって移動する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。
【００１９】
陳列装置３０についてさらに説明する。
図２は、陳列装置３０の上面図および右側面図を示している。図３は、陳列装置３０の正面図である。なおこれらの図では、陳列装置３０のうち回転ユニット５０（図１参照）が設けられている箇所の図示を行っている。
【００２０】
本実施形態における陳列装置３０では、図２（Ａ）に示すように、容器載置面３１Ａに、複数のロール状部材３１１が設けられている。詳細に説明すると、複数のロール状部材３１１が前後方向に沿って並べられた第１ローラ列３１２と、同じく複数のロール状部材３１１が前後方向に沿って並べられた第２ローラ列３１３とが、載置部３１に設けられている。各々のロール状部材３１１は、容器２０の移動経路に沿った回転が可能なように設けられており、容器２０を前方へ円滑に移動させる。
【００２１】
また、陳列装置３０は、上記のとおり、容器２０を回転させ容器２０に付された識別標記２３を前方に向ける回転ユニット５０を備えている。ここで回転ユニット５０は、図２に示すように、容器２０の移動経路の側方からこの移動経路に突出する突出部の一例としての第１ピン５２１〜第６ピン５２６、第１ピン５２１〜第６ピン５２６を支持する支持部材６００を備えている。ここで第１ピン５２１〜第６ピン５２６は、容器２０を周方向に回転させる回転機構として捉えることもできる。
【００２２】
支持部材６００は、図３（Ａ）に示すように、板状に形成され一方の仕切り部材３２（以下、「左仕切り部材３２」と称する）に固定された第１脚部６１０（第１の固定部の一例、第１の固定部材の一例、第１の側壁部の一例）と、同じく板状に形成され他方の仕切り部材３２（以下、「右仕切り部材３２」と称する）に固定された第２脚部６２０（第２の固定部の一例、第２の固定部材の一例、第２の側壁部の一例）と、一端部が第１脚部６１０に接続され他端部が第２脚部６２０に接続され容器２０の移動経路の上方に位置する板状の天井部６３０（接続部の一例、接続部材の一例）とを備えている。なお、以下の実施形態では、板状の天井部６３０について説明するが、図３（Ｂ）に示すように、天井部６３０は、上方向に凸な曲線形状のトンネル状（アーチ状）部材で形成することができる。ここで第１脚部６１０は、下端部に溝６４０を備えており、この溝６４０に対し左仕切り部材３２が差し込まれることで左仕切り部材３２に対し固定されている。また、第２脚部６２０も、下端部に溝６４０を備えており、この溝６４０に対し右仕切り部材３２が差し込まれることで右仕切り部材３２に対し固定されている。なお溝６４０は、仕切り部材３２に対する支持部材６００の移動を規制する規制部として捉えることができる。
【００２３】
ここで、第１ピン５２１〜第６ピン５２６は、第２脚部６２０の内側面から突出し且つ容器２０の移動経路に向かって突出している。また本実施形態では、図２にも示すように、容器２０の移動方向最上流側に第１ピン５２１が配置され、移動方向最下流側に第６ピン５２６が配置されている。また、第１ピン５２１〜第６ピン５２６の各々は、一定の間隙をおいて配置されている。また本実施形態では、第１ピン５２１が載置部３１の最も近くに配置され、第６ピン５２６が載置部３１から最も離れた箇所に位置している。付言すれば第１ピン５２１〜第６ピン５２６は、高さ方向における位置が互いにずらされて配置されている。
【００２４】
ここで図２および図３では、理解を容易にするため、第１ピン５２１〜第６ピン５２６のずれを実際のずれよりも大きく表示している。なお図３（Ｃ）に示すように、第１ピン５２１〜第６ピン５２６の各々は、根本に向かうに従い径（直径）が大きくなるように形成しておいた方が、強度の面でより好ましい。
【００２５】
また、一対の仕切り部材３２の上に載せられた回転ユニット５０は、ねじなどの締結具を利用して載置部３１や仕切り部材３２に固定することもできる。また本実施形態における回転ユニット５０は、樹脂により形成されるとともに射出成形により形成されている。
さらに、第１脚部６１０、第２脚部６２０、天井部６３０、および第１ピン５２１〜第６ピン５２６は一体で形成されている。このため、容器２０が第１ピン５２１〜第６ピン５２６に接触したとしても（詳細は後述）、第１ピン５２１〜第６ピン５２６の変位等が生じにくくなっている。そしてこの場合、容器２０の予め定められた箇所（後述の平坦面等）に対し第１ピン５２１〜第６ピン５２６がより確実に接触する（詳細は後述）。
【００２６】
なお、陳列装置３０は図３７に示すように構成することもできる。
図３７は、陳列装置３０の他の形態を示した図である。なお同図（Ａ）は陳列装置３０の上面図であり、同図（Ｂ）は同図（Ａ）のＡ−Ａ線における断面図である。同図（Ｂ）に示すように、本陳列装置３０では、右仕切り部材３２の上面に、上方に向かって突出する突起３２１が設けられている。また第２脚部６２０には、突起３２１が入り込むことが可能な凹部６２１が設けられている。上記では、溝６４０に仕切り部材３２を差し込むことで支持部材６００の移動を規制したが、図３７に示すように、突起３２１を凹部６２１に入り込ませることでも支持部材６００の移動を規制することができる。
【００２７】
また陳列装置３０は図３８に示すように構成することもできる。
図３８は、陳列装置３０の他の形態を示した図である。なお同図（Ａ）は陳列装置３０の上面図であり、同図（Ｂ）は同図（Ａ）のＡ−Ａ線における断面図である。同図（Ｂ）に示すように、本陳列装置３０では、第２脚部６２０の後端部に、下方に向かって突出する突出部６２２を設けている。本図に示す陳列装置３０では、この突出部６２２が右仕切り部材３２の端面に突き当たることで支持部材６００の前方への移動が規制される。
【００２８】
また陳列装置３０は図３９に示す構成とすることもできる。
図３９は、陳列装置３０の他の形態を示した図である。より具体的には、陳列装置３０の正面図である。同図に示すように、第１脚部６１０、第２脚部６２０、および天井部６３０の各々を別部材で構成し、第１脚部６１０、第２脚部６２０、および天井部６３０の各々を取り外し可能に設けることもできる。この場合、例えば、天井部６３０をより幅の大きい天井部６３０に取り替えることが可能となり、右仕切り部材３２と左仕切り部材３２との間隔が大きい場合（不図示）にも、支持部材６００を陳列装置３０に装着可能となる。また、例えば、仕切り部材３２の厚みが大きい場合に、溝６４０の幅が大きい第１脚部６１０、第２脚部６２０に取り替えることが可能となり、厚みが大きい仕切り部材３２（不図示）に対し支持部材６００を装着可能となる。
【００２９】
また、図４０（陳列装置３０の他の形態を示した図）に示すように、第１ピン５２１〜第６ピン５２６を取り外せるように設けることもできる。この場合、容器２０の形状等に合わせ、例えば、より長い第１ピン５２１〜第６ピン５２６に取り替えることができる。
また、第１ピン５２１〜第６ピン５２６を取り外せるように設けた場合、後述する第１ガイド５１（図２０参照）、第２ガイド５２などを取り付けることも可能となる。なお、第１ピン５２１〜第６ピン５２６のうちの一方の端部は、設置ユニットとして機能する回転ユニット５０に装着される装着部として捉えることができる。また、第１ピン５２１〜第６ピン５２６のうちの他方の端部は、上記一方の端部が回転ユニット５０に装着された際に位置決めされ、容器２０を周方向に回転させる回転部として捉えることができる。また第１ピン５２１〜第６ピン５２６は、容器回転用部材として捉えることができる。
【００３０】
なお図４０では、第１ピン５２１〜第６ピン５２６の各々が取り外し可能に設けられた例を説明したが、図４１（陳列装置３０の他の形態を示した図）に示すように、第１ピン５２１〜第６ピン５２６の６本のピンをまとめて取り外せる構成とすることもできる。本構成では、第１ピン５２１〜第６ピン５２６の６本のピンをまとめて支持する板状のピン支持部材６９０が設けられている。そして本構成では、ピン支持部材６９０が第２脚部６２０に形成された凹部６２３に嵌め込まれることで、第１ピン５２１〜第６ピン５２６が第２脚部６２０に固定されている。なお本構成では、例えば、第１ピン５２１〜第６ピン５２６の取り付け位置が異なるピン支持部材６９０（符号４１Ａ参照）を凹部６２３に嵌め込むことで１ピン５２１〜第６ピン５２６の位置をずらすことができる。また、例えば、長さの異なる第１ピン５２１〜第６ピン５２６（不図示）が取り付けられたピン支持部材６９０（不図示）を凹部６２３に嵌め込むことで第１ピン５２１〜第６ピン５２６の先端部の位置を異ならせることができる。
【００３１】
次いで容器２０について説明する。
図４および図５は、容器２０を説明するための図である。なお、図４（Ａ）は容器２０の正面図を示し、同図（Ｂ）は容器２０の左側面図を示している。また、図５（Ａ）は容器２０の背面図を示し、同図（Ｂ）は容器２０の右側面図を示している。また、図４（Ａ）、（Ｂ）、図５（Ａ）、（Ｂ）の各々の上部に表示した図は、Ａ−Ａ線における断面図を示している。
【００３２】
本実施形態における容器２０は、ＰＥＴ（ポリエチレンテレフタレート）などの樹脂材料により形成された容器を例示している。例えば、このような容器２０は、樹脂材料を用いた射出成形（ブロー成形）法、樹脂材料を用いてプリフォームを成形後、これをブロー成形する方法により製造することができる。
図４（Ａ）に示すように本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、フィルムＦが装着されている。なお、容器本体２１は、上部側の径が底部側の径よりも小さくなっている。即ち、容器本体２１は、上部側が縮径された状態となっている。
【００３３】
ここでフィルムＦには、同図（Ａ）に示すように、商品名、商標名など他の商品と識別するための識別標記２３が印刷されている。また容器２０は、容器本体２１の上部に（キャップ２２の下部に）、容器本体２１の外周面から容器本体２１の径方向に環状に突出した突出部２４を備えている。ここで、この突出部２４は、容器本体２１と一体に形成されている。
【００３４】
さらに容器２０は、突出部２４の下部に、第２突出部２５を備えている。ここで、この第２突出部２５の突出量は、突出部２４の突出量よりも小さくなっている。この場合、第２突出部２５が突出部２４よりも突出している場合に比べ、キャップ２２を操作をする際のユーザの手指が第２突出部２５に引っ掛かりにくくなる。また、第２突出部２５は、図４（Ａ）の断面図に示すように、識別標記２３が設けられた側から識別標記２３が設けられた側とは反対側にかけて、容器本体２１に巻き付くように設けられている。付言すれば、識別標記２３が設けられた側から反対側に向かって時計回り方向に沿って設けられている。さらに説明すると、第２突出部２５は、容器本体２１の周方向における所定範囲内に設けられている。
【００３５】
さらに説明すると、容器２０は、容器２０を識別標記２３が設けられた側から眺めた場合に（図４（Ａ）参照）、容器２０の右側面側に、第２突出部２５が設けられていない構成となっている。付言すると、第２突出部２５が設けられている高さ方向の位置において、容器２０の右側面側は（第２突出部２５に隣接する領域は）、容器本体２１が露出する状態となっている。さらに説明すると、容器本体２１の右側面に対する接線且つ容器２０の正面側から背面側に向かう接線であって上記第２突出部２５が設けられた高さ位置を通る接線（図４（Ａ）の断面図参照）よりも容器２０の右方側には、第２突出部２５が設けられていない構成となっている。
【００３６】
また、第２突出部２５は、その下面が階段状に形成されており、複数の段部を備えた構成となっている。詳細に説明すると、第２突出部２５は、時計回り方向に進むに従い高さが減少するように、その下面が階段状に形成されている。このため、本実施形態における第２突出部２５は、その下部に、高さ方向における位置が互いに異なる第１平坦面２５１〜第６平坦面２５６を備えた構成となっている。付言すると、第２突出部２５は、高さ方向における位置が互いに異なりまた容器本体２１の周方向における位置が互いに異なる複数の端面を有している。
【００３７】
ここで、第１平坦面２５１〜第６平坦面２５６の各々は、図４（Ａ）に示すように、容器本体２１の外周面に対して交差する関係（略直交する関係）で配置されている。また、第１平坦面２５１は、図４（Ａ）に示すように、識別標記２３が設けられた側に位置している。また、第６平坦面２５６は、図５（Ａ）に示すように、識別標記２３が設けられた側とは反対側に位置している。また、第２平坦面２５２〜第５平坦面２５５は、第１平坦面２５１から第６平坦面２５６に向かって、第２平坦面２５２、第３平坦面２５３、第４平坦面２５４、第５平坦面２５５の順に設けられている。さらに、容器２０の周方向において、第１平坦面２５１〜第６平坦面２５６は所定の角度毎に設けられている。また、第１平坦面２５１が最も下部に位置し、第６平坦面２５６が最も上部に位置している。なお、上記第２突出部２５や後述する第１突起２４１〜第５突起２４５は、容器２０の形成時に形成することができる。また、例えば、樹脂片や金属片などの部材を別途貼付等したりして形成することができる。
【００３８】
次いで陳列装置３０における容器２０の動作について説明する。付言すると、回転ユニット５０による容器２０の回転動作について説明する。
図６は、陳列装置３０（回転ユニット５０）における容器２０の動作を説明するための図である。なお、本図では、見やすくするため、第１ローラ列３１２、第２ローラ列３１３、仕切り部材３２、支持部材６００等の図示を省略している。
【００３９】
同図の符号５Ａに示すように、識別標記２３が右斜め前方を向いた状態で容器２０が陳列装置３０に投入された場合、第１ピン５２１に対し第１平坦面２５１が突き当たるようになる。これによって容器２０には回転力が付与され、容器２０は反時計回りに回転を行うようになる。次いで容器２０の前方への移動に伴い、第２ピン５２２に対し第２平坦面２５２が突き当たり（符号５Ｂ参照）、容器２０は同様に反時計回りの回転を行う。
【００４０】
その後、容器２０は、第３ピン５２３に第３平坦面２５３が突き当たり、第４ピン５２４に第４平坦面２５４が突き当たり、第５ピン５２５に第５平坦面２５５が突き当たることで、周方向の回転を順次行っておく。そして最終的に、第６平坦面２５６が第６ピン５２６に突き当たることで（符号５Ｃ参照）、識別標記２３が前方を向くようになる。その後、容器２０は、載置部３１上をスライドし陳列装置３０の前方に到達する。
【００４１】
本実施形態では、識別標記２３と第２突出部２５（第１平坦面２５１〜第６平坦面２５６）が設けられた領域とが予め定められた位置関係を有して配置されている。また、識別標記２３と第２突出部２５が設けられていない領域も予め定められた位置関係を有して配置されている。具体的には、識別標記２３が一方向を向いている場合に、第２突出部２５が設けられていない領域がこの一方向と直交する方向を向くようになっている。
【００４２】
このため本実施形態では、識別標記２３が前方以外の方向を向いている場合には容器２０が回転し、識別標記２３が前方を向いている場合には容器２０は回転を行わない。付言すると、識別標記２３が前方に向いていない状態で容器２０の投入を行ったとしても、陳列装置３０の前方側に容器２０が達した際に識別標記２３を前方に向いた状態となる。即ち本実施形態では、容器２０を陳列装置３０に投入する投入者が特別な操作をしないでも、識別標記２３が前方を向くこととなる。
【００４３】
なお上記では説明を省略したが、第１ピン５２１〜第６ピン５２６の各々は、高さ方向における位置が予め調整されている。即ち、第１ピン５２１と第１平坦面２５１とが突き当たるように、第２ピン５２２と第２平坦面２５２とが突き当たるように、第３ピン５２３と第３平坦面２５３とが突き当たるように、第１ピン５２１〜第３ピン５２３の各々は、高さ方向における位置が予め調整されている。また、第４ピン５２４と第４平坦面２５４とが突き当たるように、第５ピン５２５と第５平坦面２５５とが突き当たるように、第６ピン５２６と第６平坦面２５６とが突き当たるように、第４ピン５２４〜第６ピン５２６の各々は、高さ方向における位置が予め調整されている。
【００４４】
次いで容器２０の他の動作例を説明する。
図７、図８は、容器２０の他の動作例を示した図である。
図７（Ａ）に示すように、識別標記２３が陳列装置３０の後方側を向いた状態で容器２０が投入された場合、第３平坦面２５３が陳列装置３０の前方を向いた状態となる。そして容器２０は前方へ移動することとなるが、この第３平坦面２５３は、第１ピン５２１、第２ピン５２２（図２（Ｂ）も参照）の上方を通過するようになる。このため、容器２０は、回転せずに第３ピン５２３まで到達する。そして、容器２０はこの第３ピン５２３から回転力を受け上記と同様に回転を行う。そして容器２０は、上記と同様に、識別標記２３が前方を向いた状態で陳列装置３０の前方に到達する。
【００４５】
また例えば図７（Ｂ）に示すように、識別標記２３が左斜め前方を向いた状態で容器２０が投入された場合、第６平坦面２５６が陳列装置３０の前方を向いた状態となる。そして容器２０は前方へ移動することとなるが、この第６平坦面２５６は、第１ピン５２１〜第５ピン５２５（図２（Ｂ）も参照）の上方を通過するようになる。このため、容器２０は、回転せずに第６ピン５２６まで到達する。そして、容器２０はこの第６ピン５２６から回転力を受け上記と同様に回転を行う。そして容器２０は、上記と同様に、識別標記２３が前方を向いた状態で陳列装置３０の前方に到達する。
【００４６】
さらに例えば図８に示すように、識別標記２３が前方を向いた状態で容器２０が投入される場合もある。この場合、容器２０の側面であって第１ピン５２１〜第６ピン５２６が配置された側と対向する側面には、第２突出部２５が存在しない状態となる。付言すれば、第２突出部２５が存在しない領域（面）と、第１ピン５２１〜第６ピン５２６が配置された側とが対峙するようになる。さらに付言すれば、第１ピン５２１〜第６ピン５２６に突き当たる第１平坦面２５１〜第６平坦面２５６が、容器２０の図中右側面側に位置しない状態となる。このため、容器２０は、回転を行うことなく陳列装置３０の前方まで到達する。即ち、識別標記２３が前方を向いた状態を維持したまま陳列装置３０の前方まで到達する。
【００４７】
ここで、上記では一つの容器２０を投入した場合の動作を説明したが、陳列装置３０に既に複数の容器２０が陳列されている場合には、先頭に位置する容器２０の取り出しを行うと、この容器２０の分、空間が形成される。そして、この空間に向かって２番目の容器２０が移動するようになる。また、この２番目の容器２０に後続する容器２０の移動も開始される。この際、各容器２０は、第１ピン５２１〜第６ピン５２６により回転し、各容器２０の識別標記２３が前方を向くようになる。
【００４８】
なお容器２０は次のような形態とすることもできる。
図９、図１０は、容器２０の他の構成例を示した図である。なお、図９（Ａ）は容器２０の正面図を示し、同図（Ｂ）は容器２０の左側面図を示している。また、図１０（Ａ）は容器２０の背面図を示し、同図（Ｂ）は容器２０の右側面図を示している。また、図９（Ａ）、（Ｂ）、図１０（Ａ）、（Ｂ）の各々の上部に表示した図は、Ａ−Ａ線における断面図を示している。
【００４９】
本実施形態における容器２０は、突出部２４の下部に、この突出部２４から下方に突出する棒状の第１突起２４１〜第５突起２４５を備えている。ここで第１突起２４１〜第５突起２４５は、容器２０の周方向に沿って設けられている。また、第１突起２４１〜第５突起２４５は、容器２０の周方向（時計回り方向）において、第１突起２４１、第２突起２４２、第３突起２４３、第４突起２４４、第５突起２４５、の順に設けられている。さらに、第１突起２４１〜第５突起２４５は、ほぼ等間隔に配置されている。
【００５０】
また第１突起２４１は、識別標記２３が設けられた側であって容器２０の右側面側に設けられている（図９（Ａ）参照）。また、第５突起２４５は、識別標記２３が設けられた側とは反対側であって容器２０の右側面側に設けられている（図９（Ａ）の断面図参照）。また、第２突起２４２〜第４突起２４４は、第１突起２４１と第５突起２４５との間に配置されている。
【００５１】
さらに、突出部２４からの突出量は、第１突起２４１が最も大きく、次いで第２突起２４２となっている。また、第３突起２４３の突出量は、第２突起２４２よりも小さく、第４突起２４４の突出量は、第３突起２４３よりも小さくなっている。そして、第５突起２４５の突出量が最も小さくなっている。なお本実施形態における容器２０においても、容器本体２１の接線（図４（Ａ）も参照）よりも右方側にはいずれの突起も設けられていない。
【００５２】
次いで、本実施形態における容器２０の動作について説明する。
図１１は、陳列装置３０における容器２０の動作を示した図である。例えば、同図の符号２１Ａに示すように、識別標記２３が右斜め前方を向いた状態で容器２０が陳列装置３０に投入された場合、第１ピン５２１に対し第１突起２４１が突き当たるようになる。これによって容器２０には回転力が付与され、容器２０は反時計回りに回転を行うようになる。次いで容器２０の前方への移動に伴い、第２ピン５２２に対し第２突起２４２が突き当たり（符号２１Ｂ参照）、容器２０は同様に反時計回りの回転を行う。
【００５３】
その後、容器２０は、第３ピン５２３に第３突起２４３が突き当たり、第４ピン５２４に第４突起２４４が突き当たることで、周方向の回転を順次行う。そして最終的に、第５突起２４５が第５ピン５２５に突き当たることで（符号２１Ｃ参照）、識別標記２３が前方を向くようになる。その後、容器２０は、載置部３１上をスライドし陳列装置３０の前方に到達する。ここで、本図に示した陳列装置３０では、突起（第１突起２４１〜第５突起２４５）の数に対応させて、ピンの数を５本としている。なお、本形態では、第１突起２４１〜第５突起２４５の５つの突起、第１ピン５２１〜第５ピン５２５の５本のピンを設けた場合を一例に説明したが、突起およびピンは適宜数を増やすことが可能である。突起およびピンの数を増やすことにより、容器２０の回転がより滑らかになる。
【００５４】
また、容器２０は次のような構成とすることもできる。
図１２、図１３は、容器２０の変形例を示した図である。なお、図１２（Ａ）は容器２０の正面図を示し、同図（Ｂ）は容器２０の左側面図を示している。また、図１３（Ａ）は容器２０の背面図を示し、同図（Ｂ）は容器２０の右側面図を示している。また、図１２（Ａ）、（Ｂ）、図１３（Ａ）、（Ｂ）の各々の上部に表示した図は、Ａ−Ａ線における断面図を示している。
【００５５】
これらの図に示す容器２０では、第１突起２４１〜第５突起２４５を棒状とせず板状（リブ状）としている。また、第１突起２４１〜第５突起２４５の各々は、放射状に配置されている。また、第１突起２４１〜第５突起２４５の各々は、突出部２４のみではなく容器本体２１によっても支持されている。このため、本変形例における容器２０では、第１突起２４１〜第５突起２４５の強度を、図９、図１０で示した態様に比して高めることができる。
【００５６】
さらに容器２０は次のような形態とすることもできる。
図１４、図１５は、容器２０の他の変形例を示した図である。なお、図１４（Ａ）は容器２０の正面図を示し、同図（Ｂ）は容器２０の左側面図を示している。また、図１５（Ａ）は容器２０の背面図を示し、同図（Ｂ）は容器２０の右側面図を示している。また、図１４（Ａ）、（Ｂ）、図１５（Ａ）、（Ｂ）の各々の上部に表示した図は、Ａ−Ａ線における断面図である。
【００５７】
上記では、第１突起２４１〜第５突起２４５の各々の高さを異ならせるとともに、陳列装置３０における第１ピン５２１〜第５ピン５２５の高さを異ならせた。一方で、第１突起２４１〜第５突起２４５の高さ方向における寸法を、図１４、図１５に示すように等しくしてもよい。換言すると、第１突起２４１〜第５突起２４５の高さ方向における寸法に差を付けない構成とすることもできる。また、陳列装置３０における第１ピン５２１〜第５ピン５２５の高さ（第１ピン５２１〜第５ピン５２５の載置部３１からの高さ）を等しくすることができる。
【００５８】
ここで図１６は、陳列装置３０における容器２０の動作（回転ユニット５０による容器２０の動作）を示した図である。なお、本図における陳列装置３０では、第１ピン５２１〜第５ピン５２５の高さを異ならせず、載置部３１からほぼ等しい高さ位置に第１ピン５２１〜第５ピン５２５を配置している。
【００５９】
ここで例えば、同図（Ａ）に示すように、識別標記２３が右斜め前方を向いた状態で容器２０が投入された場合、まず第１突起２４１が第１ピン５２１に突き当たる。これによって容器２０は反時計回りの回転を行う。その後、容器２０は、第２突起２４２が第２ピン５２２に突き当たり、第３突起２４３が第３ピン５２３に突き当たり、第４突起２４４が第４ピン５２４に突き当たることで、順次回転を行う。そして、容器２０は、第５突起２４５が第５ピン５２５に突き当たることで更に回転する。この結果、識別標記２３が前方を向くようになる。
【００６０】
また、例えば、同図（Ｂ）に示すように、識別標記２３が後方を向いた状態で容器２０が投入された場合、まず第３突起２４３が第１ピン５２１に突き当たる。これによって容器２０は反時計回りの回転を行う。その後、容器２０は、第４突起２４４が第２ピン５２２に突き当たり、第５突起２４５が第３ピン５２３に突き当たることで、順次回転を行う。これによって、識別標記２３が前方を向くようになる。そしてこの場合、第１突起２４１〜第５突起２４５が設けられていない部位が、第１ピン５２１〜第５ピン５２５が配置された側に対向する状態となる。この結果、容器２０は、残りの第４ピン５２４、第５ピン５２５に突き当たることなく前方へ移動していく。
【００６１】
また、陳列装置３０は次のような構成とすることもできる。
図１７および図１８は、陳列装置３０の他の一形態を示した図である。なお図１７（Ａ）は陳列装置３０の上面図であり、同図（Ｂ）は陳列装置３０の右側面である。また図１８は陳列装置３０の正面図である。なお、上記にて説明した実施形態と同様の機能については、同様の符号を用いここではその説明を省略する。また図１７（Ｂ）では支持部材６００の図示を省略している。
【００６２】
本実施形態の陳列装置３０は、上記と同様に回転ユニット５０を備えている。そして本実施形態における回転ユニット５０は、容器２０の第１平坦面２５１〜第６平坦面２５６（第１突起２４１〜第５突起２４５）が第１ピン５２１〜第６ピン５２６に突き当たるように容器２０を誘導する誘導部材５５（誘導部の一例）を備えている。
【００６３】
誘導部材５５は、図１８に示すように、第１ピン５２１〜第６ピン５２６よりも上方に配置されている。また誘導部材５５は、図１８に示すように、容器２０に設けられたキャップ２２に接触可能に設けられておりキャップ２２の外周面に接触することで容器２０の誘導を行う。また誘導部材５５は、図１７（Ａ）に示すように、予め定められた間隙をおいて互いに対向配置されるとともに容器２０の移動経路に沿って設けられた第１誘導部材５５Ａおよび第２誘導部材５５Ｂとから構成されている。なお第１誘導部材５５Ａおよび第２誘導部材５５Ｂは、天井部６３０と一体で形成されている。
【００６４】
ここで、第１誘導部材５５Ａおよび第２誘導部材５５Ｂの各々は、板状に形成されるとともに、図１７（Ａ）に示すように、第１ピン５２１よりも容器２０の移動方向上流側に湾曲部５５２を有している。また第１誘導部材５５Ａおよび第２誘導部材５５Ｂの各々は、湾曲部５５２よりも容器２０の移動方向下流側に、仕切り部材３２などと略平行に設けられたストレート部５５１を有している。ここで第１誘導部材５５Ａの湾曲部５５２は、容器２０の移動方向上流側に向かうに従い第２誘導部材５５Ｂから離れるように曲率を有して形成されている。また第２誘導部材５５Ｂの湾曲部５５２は、容器２０の移動方向上流側に向かうに従い第１誘導部材５５Ａから離れるように曲率を有して形成されている。
【００６５】
本実施形態では、容器２０の移動経路の両側に設けられている仕切り部材３２の配置間隔よりも容器２０の直径の方が小さくなっている。このため容器２０が一方の仕切り部材３２に寄った状態で投入される場合があり、このまま容器２０が進行していくと、第１ピン５２１〜第６ピン５２６に対し上記第１平坦面２５１〜第６平坦面２５６が突き当たらない事態が生じてしまう。そこで本実施形態では、上記誘導部材５５を用いて容器２０の誘導を行い、第１ピン５２１〜第６ピン５２６に対し第１平坦面２５１〜第６平坦面２５６（図９〜１０、図１２〜１５で示した容器２０を用いた場合には第１突起２４１〜第５突起２４５）が突き当たるようにしている。
【００６６】
より具体的に説明すると、右仕切り部材３２側に寄った状態の容器２０を、第２誘導部材５５Ｂにより左仕切り部材３２側に誘導し、第１ピン５２１〜第６ピン５２６に対し第１平坦面２５１〜第６平坦面２５６が突き当たるようにしている。また、左仕切り部材３２側に寄った状態の容器２０を、第１誘導部材５５Ａにより右仕切り部材３２側に誘導し、第１ピン５２１〜第６ピン５２６に対し第１平坦面２５１〜第６平坦面２５６が突き当たるようにしている。
【００６７】
また容器２０および陳列装置３０は、次のような構成とすることもできる。
図１９は、容器２０の他の一形態を示した図であり、図２０〜図２３は、陳列装置３０の他の一形態を示した図である。なお図１９（Ａ）は容器２０の正面図を示し、同図（Ｂ）は同図（Ａ）のＡ−Ａ線における断面を示している。また図２０は陳列装置３０の上面図を示し、図２１（Ａ）は陳列装置３０の正面図を示し、図２１（Ｂ）は陳列装置３０の背面図を示している。また、図２２（Ａ）は、陳列装置３０の右側から第２ガイド５２を眺めた場合の図であり、同図（Ｂ）は、陳列装置３０の左側から第１ガイド５１を眺めた場合の図である。なお、上記にて説明した実施形態と同様の機能については、同様の符号を用いここではその説明を省略する。
【００６８】
まず図１９を参照し容器２０について説明する。本実施形態における容器２０は、上記と同様、上部に開口（飲み口）を有し且つ筒状に形成され内部に飲料が充填された容器本体２１と、容器本体２１の開口を塞ぐキャップ２２とを備えている。また容器本体２１の外周面には、フィルムＦが装着されている。
【００６９】
ここでキャップ２２は、その外周面に、キャップ２２の高さ方向に沿って形成された凸部、同じく高さ方向に沿って形成された凹部を有している。この凸部および凹部は複数設けられるとともに、キャップ２２の周方向において交互に配置されている。またフィルムＦには、同図（Ａ）、（Ｂ）に示すように、商品名、商標名など他の商品と識別するための第１識別標記２３ａ、第２識別標記２３ｂが印刷されている（なお本明細書においては、以下単に「識別標記２３」と称する場合がある。）。ここで、第１識別標記２３ａおよび第２識別標記２３ｂは、同一の形態でもいいし異なる形態とすることもできる。なお第１識別標記２３ａおよび第２識別標記２３ｂは、容器２０の周方向において、位相が１８０°ずれた状態で配置されている。
【００７０】
また容器２０は、上記と同様、容器本体２１の上部に（キャップ２２の下部に）、容器本体２１の外周面から容器本体２１の径方向に突出した突出部２４を備えている。この突出部２４は、同図（Ｂ）に示すように、直径Ｄ２を有した円の一部が切り欠かれた形状となっている。付言すれば、突出部２４は、直径Ｄ２を有した円の一部に面削ぎ状の部位が設けられた状態となっている。更に説明すれば、突出部２４は、直径Ｄ２を有した円の一部に、第１平坦部２４８が設けられ、他の一部に、第２平坦部２４９が設けられた状態となっている。
【００７１】
ここで、第１平坦部２４８および第２平坦部２４９は、互いに平行となる関係で配置されている。また、第１平坦部２４８と第２平坦部２４９とは、上記直径Ｄ２の大きさよりも小さい距離Ｄ１をおいて配置されている。さらに、識別標記２３との関係を説明すると、第１平坦部２４８および第２平坦部２４９は、第１識別標記２３ａおよび第２識別標記２３ｂに対し、位相が９０°ずれた状態で配置されている。
【００７２】
さらに説明すると、第１識別標記２３ａ又は第２識別標記２３ｂが陳列装置３０（図２０参照）の前方を向いた際における突出部２４の幅はＤ１となる。また、第１識別標記２３ａ又は第２識別標記２３ｂが陳列装置３０の幅方向を向いた際における突出部２４の幅はＤ２となる。さらに説明すると、第１識別標記２３ａ又は第２識別標記２３ｂが向いている方向における突出部２４の幅はＤ２となり、第１識別標記２３ａ又は第２識別標記２３ｂが向いている方向と直交する方向における突出部２４の幅はＤ２よりも小さいＤ１となる。さらに説明すると、第１識別標記２３ａ又は第２識別標記２３ｂが付された側から容器２０を眺めた場合に、突出部２４は、奥行き方向の寸法がＤ２となり、幅方向の寸法がこのＤ２よりも小さいＤ１となる。
【００７３】
次に陳列装置３０について説明する。
本実施形態における陳列装置３０の回転ユニット５０は、陳列装置３０の前後方向に沿って設けられた第１ガイド５１（抗力付与部の一例）と、第２ガイド５２（傾斜部の一例）とを有している。なお、この第１ガイド５１は、図２１（Ａ）に示すように第１脚部６１０の内側面に接続された支持部材５３により支持されている。また、第２ガイド５２は、第２脚部６２０の内側面に接続された支持部材５４により支持されている。
【００７４】
第１ガイド５１は、板状の部材により構成され、載置部３１の上方に設けられている。
また、第１ガイド５１は、図２０に示すように、前方側に第１傾斜部５１１を有し、後方側に第２傾斜部５１２を有している。ここで第１傾斜部５１１は、図２１（Ａ）に示すように、図中左上側の一端部の方が図中右下側の他端部よりも上方に位置するように、且つ、この一端部の方が他端部よりも左側に位置するように傾斜して配置されている。付言すれば、第１傾斜部５１１は、陳列装置３０の載置部３１から離れるに従い第１脚部６１０に接近するように傾斜して配置されている。
【００７５】
また第１傾斜部５１１は、キャップ２２の外周面が接触する（詳細は後述）接触面５１１ａ（図２０参照）に、複数の凸部および凹部を有している。なお接触面５１１ａは、図２１（Ａ）に示すように、陳列装置３０の載置部３１から離れるに従い容器２０の移動経路の側方（図２１（Ａ）中左方向）に接近するように傾斜した状態となっている。付言すれば、接触面５１１ａは、容器２０の移動経路の側方に向かうに従い載置部３１から離れるように傾斜した状態となっている。更に付言すれば、接触面５１１ａは、第１脚部６１０側に傾斜して配置され、斜め上方を向くように配置されている。
【００７６】
また接触面５１１ａに形成された凸部および凹部は、図２０に示すように、陳列装置３０の前後方向と直交する方向に沿って形成されるとともに、陳列装置３０の前後方向において、交互に配置されている。そして本実施形態では、キャップ２２の外周面が接触面５１１ａに接触した状態にあると、キャップ２２の外周面に形成された凹凸と、接触面５１１ａに形成された凹凸とが噛み合うようになる。この結果、容器２０における左方側の移動が抑制され（容器２０の左側に抗力が付与され）、容器２０は周方向の回転を行う（詳細は後述）。
【００７７】
第２傾斜部５１２は、陳列装置３０の後方側に向かうに従い、第１脚部６１０に接近するように配置されている。付言すれば第２ガイド５２との間に形成される間隙が拡がるように配置されている。なお、第２傾斜部５１２には、上記凹凸が設けられていないが、この第２傾斜部５１２にも凹凸を付与することができる。この第２傾斜部５１２は、陳列装置３０に投入された容器２０を第２ガイド５２側に誘導する。
【００７８】
一方、第２ガイド５２は、円柱状の部材により構成され、載置部３１の上方に設けられている。また、第２ガイド５２は、第１ガイド５１との間に間隙を有し且つ第１ガイド５１に対向配置されている。この第２ガイド５２は、その前方に直線状に形成されたストレート部５２８を有し、その後方に傾斜部５２９を有している。
【００７９】
傾斜部５２９は、陳列装置３０の後方側に向かうに従い第２脚部６２０に接近するように配置されている。また、傾斜部５２９は、陳列装置３０の後方側に向かうに従い載置部３１に接近するように配置されている。付言すれば、陳列装置３０の前方に向かうに従い載置部３１から離れるように配置されている。また傾斜部５２９は、その端部（図２０中上端部）が、投入された容器２０の突出部２４（図１９（Ａ）参照）よりも下方に位置するように配置されている。この傾斜部５２９は、投入された容器２０を第１ガイド５１側に誘導する。また、傾斜部５２９およびストレート部５２８は、後述するように容器２０に傾斜を付与する。
【００８０】
図２３を参照して第１ガイド５１および第２ガイド５２についてさらに説明する。なお、同図（Ａ）は図２０のＡ−Ａ線における断面図であり、同図（Ｂ）は図２０のＢ−Ｂ線における断面図であり、同図（Ｃ）は図２０のＣ−Ｃ線における断面図である。なおこれらの図においては、支持部材６００の図示を省略している。
【００８１】
上記のとおり第２ガイド５２には、傾斜部５２９が設けられ、そしてこの傾斜部５２９は、陳列装置３０の後方側に向かうに従い載置部３１に接近するように配置されている。
即ち、陳列装置３０の前方に向かうに従い載置部３１から離れるように配置されている。
付言すれば、傾斜部５２９と載置部３１との離間距離が陳列装置３０の前方に向かうに従い大きくなるように、傾斜部５２９は配置されている。例えば図２３（Ａ）にて載置部３１と傾斜部５２９との離間距離がＨ１であった場合に、図２３（Ｂ）では離間距離がＨ２（＞Ｈ１）となり、図２３（Ｃ）では離間距離がＨ３（＞Ｈ２＞Ｈ１）となる。また、第１ガイド５１と第２ガイド５２との水平方向の距離Ｗ１，Ｗ２，Ｗ３は、Ｗ１＞Ｗ２＞Ｗ３の関係になっている。
【００８２】
本実施形態では、識別標記２３が移動経路の側方を向いた状態（前方以外の方向を向いた状態）で容器２０が陳列装置３０に投入されると、容器２０の右方側が傾斜部５２９により持ち上げられ、容器２０は左方側に傾くようになる。そしてこの傾きによって、容器２０のキャップ２２が第１ガイド５１に接触し、容器２０が回転するようになる。そして識別標記２３が前方を向くと、キャップ２２が第１ガイド５１から離間し、容器２０は識別標記２３が前方を向いた状態で前方に移動していく。
【００８３】
図２４、図２５（容器２０の動作を説明するための図）を用いて容器２０の動作について詳細に説明する。なお、図２４（Ａ）は、図２３（Ａ）で示した回転ユニット５０と容器２０とを示した図であり、図２４（Ｂ）は、図２３（Ｂ）で示した回転ユニット５０と容器２０とを示した図であり、また、図２４（Ｃ）は、図２３（Ｃ）で示した回転ユニット５０と容器２０とを示した図である。
【００８４】
図２４（Ａ）に示すように、識別標記２３が移動経路の側方を向いた状態で投入された容器２０が、第１ガイド５１の第２傾斜部５１２と第２ガイド５２の傾斜部５２９との間に達すると、容器２０の突出部２４の下部に傾斜部５２９が位置する状態となる。そして本実施形態では、傾斜部５２９が、上記のとおり載置部３１から離れるように傾斜した状態で配置されているために、容器２０に傾斜が付与される。
【００８５】
詳細には、容器２０の前方への移動に伴い突出部２４の下部に傾斜部５２９が接触する。そして、容器２０がさらに前方へ移動するのに伴い、突出部２４が傾斜部５２９に持ち上げられるようになる（同図（Ｂ）参照）。これにより容器２０は、第２傾斜部５１２（第１ガイド５１）側に傾くようになる。そして、容器２０は、突出部２４が傾斜部５２９により更に持ち上げられることで更に傾くようになり、同図（Ｃ）に示すように、キャップ２２の外周面であってキャップ２２の上部側が第１傾斜部５１１（第１ガイド５１）の接触面５１１ａに接触する。これによりキャップ２２の外周面における凹凸と、第１傾斜部５１１の接触面５１１ａにおける凹凸との間で噛み合いが生じる。
【００８６】
その後、容器２０は、図２５（Ａ）の矢印６Ｄに示すように周方向の回転を開始し更に前方へ移動していく。そして同図（Ｂ）に示すように識別標記２３（第２識別標記２３ｂ）が前方を向く状態となると、ストレート部５２８（第２ガイド５２）による突出部２４の支持が解除される。付言すれば、識別標記２３が前方を向く状態となると、突出部２４の第１平坦部２４８あるいは第２平坦部２４９（図１９（Ｂ）参照）が、ストレート部５２８と対峙するようになり、第２ガイド５２による突出部２４の支持が解除される。
【００８７】
この結果、図２５（Ｂ）、（Ｃ）に示すように、容器２０の上部側（キャップ２２側）がストレート部５２８（第２ガイド５２）側に移動するようになり、キャップ２２と第１傾斜部５１１（第１ガイド５１）とが離間するようになる。これにより、容器２０への回転力の付与も解除される。そして、容器２０は同図（Ｃ）に示す姿勢を維持した状態で前方へスライドしていく。即ち、容器２０は、識別標記２３が前方を向いた状態を維持したまま陳列装置３０の前方まで移動していく。なお、第２ガイド５２（ストレート部５２８）には、フッ素樹脂など摺動抵抗を減じる素材を貼付等しておくことがより好ましい。識別標記２３が前方を向いた容器２０の第２ガイド５２による再回転をより抑制可能となるからである。
【００８８】
本実施形態では、図２４（Ａ）に示したように、例えば第２識別標記２３ｂが側方を向いた状態で容器２０が載置部３１に置かれたとしても、前方に達する段階において、第２識別標記２３ｂが前方に向くようになる。このため、第２識別標記２３ｂが前方に向いていない状態で容器２０の載置（投入）を行ったとしても、陳列装置３０の前方側に容器２０が達した際に第２識別標記２３ｂを前方に向いた状態となる。即ち本実施形態でも、容器２０を陳列装置３０に投入する投入者が特別な操作をしないでも、識別標記２３が前方を向くこととなる。なお、識別標記２３が前方を向いた状態で容器２０が投入された場合には、第２ガイド５２の傾斜部５２９による突出部２４の持ち上げが行われない。このため、キャップ２２と第１ガイド５１との接触も行われず、容器２０は投入されたときの姿勢を維持したまま（識別標記２３が前方を向いた状態を維持したまま）陳列装置３０の前方へ移動していく。
【００８９】
また、容器２０および陳列装置３０は、次のような構成とすることもできる。
図２６は、容器２０の他の一形態を示した図であり、図２７〜図３０は、陳列装置３０の他の一形態を示した図である。なお本実施形態の容器２０（図２６に示す容器２０）は、図１９にて説明した容器２０と同様の構成を有している。このため、容器２０についての詳細な説明は省略する。また図２７は、陳列装置３０の上面図を示し、図２８（Ａ）は陳列装置３０の正面図を示し、図２８（Ｂ）は陳列装置３０の背面図を示している。また、図２９は、陳列装置３０の右側から陳列装置３０を眺めた場合の図である。なお上記にて説明した実施形態と同様の機能については同様の符号を用い、ここではその説明を省略する。
【００９０】
本実施形態における陳列装置３０は、上記と同様、陳列装置３０の前後方向に沿って設けられた第１ガイド５１と、第２ガイド５２（支持部の一例）とを有している。なお、第１ガイド５１は、図２８（Ａ）に示すように、第１脚部６１０に対し直接取り付けられている。付言すると、第１ガイド５１は第１脚部６１０と一体で形成されている。一方、第２ガイド５２は、第２脚部６２０の内側面に接続された支持部材５４により支持されている。
【００９１】
第１ガイド５１は、円柱状に形成され、載置部３１の上方に設けられている。また、容器２０の移動経路に沿って設けられている。さらに、容器２０の移動経路の一方の側方側に設けられている。また、第２ガイド５２も、円柱状の部材により構成され、載置部３１の上方に設けられている。また、第２ガイド５２は、第１ガイド５１との間に間隙を有する状態で設けられている。さらに、容器２０の移動経路に沿って設けられるとともに容器２０の移動経路の他方の側方側に設けられている。この第２ガイド５２は、その前方に直線状に形成されたストレート部５２８を有し、その後方に傾斜部５２９を有している。
【００９２】
傾斜部５２９は、陳列装置３０の後方側に向かうに従い第２脚部６２０に接近するように配置されている。また、傾斜部５２９は、陳列装置３０の後方側に向かうに従い載置部３１に接近するように配置されている。付言すれば、陳列装置３０の前方に向かうに従い載置部３１から離れるように配置されている。また傾斜部５２９は、その端部（図２７中上端部）が、投入された容器２０の突出部２４（図２６（Ａ）参照）における下面よりも下方に位置するように配置されている。この傾斜部５２９は、投入された容器２０を第１ガイド５１側に誘導する。また、傾斜部５２９およびストレート部５２８は、後述するように容器２０を下方から持ち上げ容器２０に傾斜を付与する。
【００９３】
ここで図３０を参照して第１ガイド５１および第２ガイド５２について更に詳細に説明する。なお、図３０（Ａ）は図２７のＡ−Ａ線における断面図であり、図３０（Ｂ）は図２７のＢ−Ｂ線における断面図であり、図３０（Ｃ）は図２７のＣ−Ｃ線における断面図である。なお本図では、支持部材６００および第１ガイド５１の図示を省略している。
【００９４】
上記のとおり第２ガイド５２には、傾斜部５２９が設けられ、この傾斜部５２９は、陳列装置３０の後方側に向かうに従い載置部３１に接近するように配置されている。付言すれば、傾斜部５２９と容器載置面３１Ａとの離間距離が陳列装置３０の前方に向かうに従い大きくなるように、傾斜部５２９は配置されている。例えば図３０（Ａ）にて容器載置面３１Ａと傾斜部５２９の上面との離間距離がＨ１であった場合に、図３０（Ｂ）では離間距離がＨ２（＞Ｈ１）となり、図３０（Ｃ）では離間距離がＨ３（＞Ｈ２＞Ｈ１）となる。ここで、離間距離Ｈ１は、容器２０の底面から突出部２４の下面までの距離Ｈ１０（図２６（Ａ）参照）よりも小さい。また、離間距離Ｈ３は、この距離Ｈ１０よりも大きい。なお、第１ガイド５１（本図では不図示）は、容器載置面３１Ａとほぼ平行となるように配置されている。
【００９５】
本実施形態でも、識別標記２３が移動経路の側方を向いた状態（前方以外の方向を向いた状態）で容器２０が陳列装置３０に投入されると、容器２０の右方側が第２ガイド５２により持ち上げられ（突出部２４の右方側が第２ガイド５２により下方から押圧され）、容器２０は左方側に傾くようになる。また、容器２０に第２ガイド５２が接触すると、容器２０は回転するようになる。そして識別標記２３が前方を向くと、第２ガイド５２による持ち上げが解除され、容器２０は識別標記２３が前方を向いた状態で前方に移動していく。
【００９６】
図３１、図３２（容器２０の動作を説明するための図）を用いて容器２０の動作について詳細に説明する。なお、図３１（Ａ）は、図３０（Ａ）で示した回転ユニット５０と容器２０とを示した図であり、図３１（Ｂ）は、図３０（Ｂ）で示した回転ユニット５０と容器２０とを示した図であり、また、図３１（Ｃ）は、図３０（Ｃ）で示した回転ユニット５０と容器２０とを示した図である。
【００９７】
図３１（Ａ）に示すように、識別標記２３が移動経路の側方を向いた状態で投入された容器２０が、第２ガイド５２の傾斜部５２９に達すると、容器２０の突出部２４の下部に傾斜部５２９が位置する状態となる。そして本実施形態では、傾斜部５２９が、上記のとおり、載置部３１から離れるように傾斜した状態で配置されているために、容器２０が前方へ進むことにより突出部２４の下面に傾斜部５２９が接触し、容器２０に傾斜が付与される。付言すれば、容器本体２１のうち第２ガイド５２が設けられている側が容器載置面３１Ａから離間する。また、突出部２４の下面に傾斜部５２９が接触することによりこの突出部２４に抗力が付与される。そしてこの抗力によって、容器２０（容器本体２１）の回転が開始される。
【００９８】
詳細には、容器２０の前方への移動に伴い突出部２４の下部に傾斜部５２９が接触する（同図（Ｂ）参照）。これにより容器２０に対し抗力が付与されるようになり、容器２０は上方から見て反時計回り方向（周方向）に回転するようになる（図中矢印参照）。また、容器２０が更に前方へ移動するのに伴い、突出部２４がストレート部５２８に持ち上げられるようになる（同図（Ｃ）参照）。これにより容器２０は、第１ガイド５１側に傾くようになる。また、容器載置面３１Ａと容器２０との接触面積が低下するために容器２０がより回転しやすくなる。
【００９９】
なお、容器２０をストレート部５２８により持ち上げた際、容器２０はこのストレート部５２８から離れる方向（左仕切り部材３２側）に移動する場合がある。このため、本実施形態では、容器２０の外周面に接触可能な位置に第１ガイド５１を設けている。これにより容器２０の移動が規制され、容器２０とストレート部５２８（第２ガイド５２）との接触が維持される。
【０１００】
その後、容器２０は、図３２（Ａ）に示すような回転を継続しながら前方へ移動していく。これにより第１識別標記２３ａが次第に前方を向くようになる。そして同図（Ｂ）に示すように識別標記２３（第１識別標記２３ａ）が前方を向く状態となると、ストレート部５２８（第２ガイド５２）による突出部２４の支持（持ち上げ）が解除される。付言すれば、識別標記２３が前方を向く状態となると、突出部２４の第１平坦部２４８あるいは第２平坦部２４９（図２６（Ｂ）参照）（突出部２４の切り欠き）が、ストレート部５２８と対峙するようになり、第２ガイド５２による突出部２４の支持が解除される。さらに説明すれば、図３２（Ｂ）、（Ｃ）に示すように、第２ガイド５２（ストレート部５２８）による突出部２４の支持が解除され、容器２０の上部側（キャップ２２側）がストレート部５２８（第２ガイド５２）側に移動するようになる。これにより、容器２０への回転力の付与も解除される。なお、容器２０の上部側がストレート部５２８側に移動すると、ストレート部５２８の上面（突出部２４を支持する支持面）よりも下方に突出部２４の下面が位置するようになる（同図（Ｃ）参照）。
【０１０１】
その後、容器２０は同図（Ｃ）に示す姿勢を維持した状態で前方へスライドしていく。
即ち、容器２０は、識別標記２３が前方を向いた状態を維持したまま陳列装置３０の前方まで移動していく。
【０１０２】
本実施形態では、図３１（Ａ）に示したように、例えば第１識別標記２３ａが側方を向いた状態で容器２０が容器載置面３１Ａに置かれたとしても、前方に達する段階において、第１識別標記２３ａが前方に向くようになる。このため、第１識別標記２３ａが前方に向いていない状態で容器２０の載置（投入）を行ったとしても、陳列装置３０の前方側に容器２０が達した際に第１識別標記２３ａを前方に向いた状態となる。即ち本実施形態では、容器２０を陳列装置３０に投入する投入者が特別な操作をしないでも、識別標記２３が前方を向くこととなる。
【０１０３】
なお、識別標記２３が前方を向いた状態で容器２０が投入された場合には、傾斜部５２９による突出部２４の持ち上げが行われない。このため、容器２０は投入されたときの姿勢を維持したまま（識別標記２３が前方を向いた状態を維持したまま）陳列装置３０の前方へ移動していく。
【０１０４】
また、上記では、第２ガイド５２により容器２０が支持された際、容器２０が反時計回り方向に回転する場合を説明したが、第１ガイド５１、第２ガイド５２、容器２０の表面性状等によっては、容器２０が時計回り方向に回転する場合もある。
【０１０５】
例えば、容器２０が第２ガイド５２により持ち上げられるとともに第１ガイド５１により支持される際、容器２０には第１ガイド５１からも抗力が付与されることとなる。そしてこの抗力が、第２ガイド５２により付与される抗力よりも大きい場合、容器２０は、時計回り方向に回転することとなる。また、容器２０が第２ガイド５２により持ち上げられた際、容器２０は、右方側が第２ガイド５２により支持されるとともに、左方側は容器載置面３１Ａに接触した状態となる。この場合において、容器載置面３１Ａから付与される抗力が大きい場合などにおいては、容器２０と第２ガイド５２との間で滑りが生じ、容器２０は時計回り方向に回転することになる。
【０１０６】
また、回転ユニット５０は次のように構成することもできる。図３３および図３４は、回転ユニット５０の他の一形態を説明するための図である。なお図３３は、陳列装置３０の上面図であり、図３４は陳列装置３０の正面図である。
【０１０７】
本実施形態における回転ユニット５０は、第１脚部６１０および第２脚部６２０に加え、この第１脚部６１０と第２脚部６２０との間に第３脚部６５０を備えている。また本実施形態における回転ユニット５０は、陳列装置３０に設けられた２つの容器移動経路（第１の容器移動経路、この第１の容器移動経路に隣接する第２の容器移動経路）の各々に対応可能なように第１ピン５２１〜第６ピン５２６を２組有している。ここで一方の第１ピン５２１〜第６ピン５２６は第２の回転機構として捉えることができる。
【０１０８】
そして本実施形態では、第１脚部６１０が一の仕切り部材３２に固定され、第２脚部６２０がこの一の仕切り部材３２とは異なる他の仕切り部材３２に固定される。そして第３脚部６５０は、上記一の仕切り部材３２と上記他の仕切り部材３２との間に位置する仕切り部材３２に固定される。なお本実施形態における第１脚部６１０は第１の固定部として捉えることができ、第３脚部６５０は第２の固定部として捉えることができ、第２脚部６２０は第３の固定部として捉えることができる。
【０１０９】
図３等で示した回転ユニット５０を、図３５（回転ユニット５０の配置態様を示した図）のように隣接させて２つ設けた場合、陳列装置３０の幅寸法が大きくなる。本実施形態の構成によれば、陳列装置３０の幅寸法を小さくできる。付言すると、脚部の個数を４つから３つに減らせるため、陳列装置３０の幅寸法を小さくできる。ここで図３４では２つのレーン（容器移動経路）に対応した回転ユニット５０を例示したが、３つの以上のレーンに対応可能な回転ユニット５０とすることもできる。なお図３３および図３４では、第１ピン５２１〜第６ピン５２６が設けられた回転ユニット５０を例示したが、回転ユニット５０には上述の第１ガイド５１や第２ガイド５２を設けることもできる。
【０１１０】
また図３６（陳列装置３０の他の一形態を示す図）に示すように、回転ユニット５０における第１脚部６１０と左仕切り部材３２とを一体で形成することもできる。また同図に示すように、第２脚部６２０と右仕切り部材３２とを一体で形成することもできる。なお、陳列装置３０の載置部３１に設けられている孔３１Ｂ（図１参照）の位置は、陳列装置３０の製造メーカ毎に異なることが多い。このため、図３６に示した構成の場合、一の製造メーカの陳列装置３０に対して回転ユニット５０を設置できるが、他の製造メーカの陳列装置３０に対しては回転ユニット５０を設置できないという事態が生じうる。このため、回転ユニット５０と仕切り部材３２とは別体で構成しておき、回転ユニット５０を仕切り部材３２の上部に載せる態様が汎用性の点でより好ましいと言える。なお上記では説明を省略したが、容器２０の種類や大きさ毎に回転ユニット５０を用意しておくと、各種調整が省略可能となり、陳列装置３０に対し容器２０の回転機能を速やかに付与可能となる。
【０１１１】
なお、図４２（Ａ）に示すように、第１脚部６１０（第２脚部６２０側も同様）の下端部に、仕切り部材３２を嵌め込むことが可能な嵌め込み部６４１を設けることもできる。本実施形態では、この嵌め込み部６４１に仕切り部材３２が嵌め込まれている。さらに、本実施形態では、仕切り部材３２の上縁であって第１脚部６１０の前方側に位置する部位および第１脚部６１０の後方側に位置する部位に、クリップ状の規制部材（不図示）が取り付けられている。本実施形態では、この規制部材に対し第１脚部６１０の前端部および後端部が突き当たることで、支持部材６００の移動が規制されるようになっている。
【０１１２】
また、同図（Ｂ）に示すように、第１脚部６１０（第２脚部６２０側も同様）の下端部に、仕切り部材３２を挟んだ状態で保持する保持部６４２を設けても良い。この場合、上記のような規制部材（不図示）を設けなくても、この保持部６４２が仕切り部材３２を保持するので、仕切り部材３２に対する支持部材６００の移動を規制することができる。なお、保持部６４２の先端部に、例えばゴム部材などの摩擦係数の大きい弾性部材６４２ａを設けることにより、仕切り部材３２に対する支持部材６００の移動をさらに強く規制することができる。
【０１１３】
また陳列装置３０は図４３に示す構成とすることもできる。
図４３は、陳列装置３０の他の形態を示した図であり、陳列装置３０の側面図である。なお、同図（Ａ）は支持部材６００を陳列装置３０の後方側に設けた場合を示した図であり、同図（Ｂ）は支持部材６００を陳列装置３０の前後方向における中央部に設けた場合の図である。
【０１１４】
同図（Ａ）、（Ｂ）に示すように、本陳列装置３０では、第１脚部６１０、第２脚部６２０の各々に、下方に向かって突出する凸部６１２が設けられている。また、仕切り部材３２の上面には、凸部６１２を嵌め込むことが可能な凹部３２２が設けられている。そして本実施形態では、凸部６１２を凹部３２２に嵌め込むことで仕切り部材３２に対する支持部材６００の移動を規制することができるようになっている。より詳細には、陳列装置３０の前後方向および左右方向における移動を規制することができるようになっている。なお本実施形態では、第１脚部６１０と第２脚部６２０とは同様の構成となっているので、第１脚部６１０と第２脚部６２０とを入れ替えることができる。また同図（Ａ）に示すように、凹部３２２は陳列装置３０の前方側にも設けられているため、支持部材６００は陳列装置３０の前方側に設置することもできる。
【０１１５】
また陳列装置３０は図４４に示す構成とすることもできる。
図４４は、陳列装置３０の他の形態を示した図である。なお、同図（Ａ）は本陳列装置３０の仕切り部材３２を説明するための図であり、同図（Ｂ）は陳列装置３０の側面図である。本陳列装置３０では、同図（Ａ）に示すように、仕切り部材３２が並行に配置された２枚の板状部材３２ａ，３２ｂで構成されている。また本実施形態では、この２枚の板状部材３２ａ，３２ｂの間に第１脚部６１０（第２脚部６２０側も同様）が差し込まれるようになっている。さらに、例えばクリップなどの、２枚の板状部材３２ａ，３２ｂを側方から押圧する押圧部材６７０を、第１脚部６１０の前方側および後方側に設けている。そして本実施形態では、この押圧部材６７０により支持部材６００の移動を規制している。
【０１１６】
また陳列装置３０は図４５に示す構成とすることもできる。
図４５は、陳列装置３０の他の形態を示した図である。本陳列装置３０では、図４４と同様に、仕切り部材３２が並行に配置された２枚の板状部材３２ａ，３２ｂで構成されている。ここで、本陳列装置３０では、上記と同様、この２枚の板状部材３２ａ，３２ｂの間に第１脚部６１０（第２脚部６２０側も同様）が差し込まれるようになっている。また、板状部材３２ａ，３２ｂの間に、支持部材６００の移動を規制するための板状の規制部材６６０を挿入している。そして本実施形態では、接着剤等により規制部材６６０を板状部材３２ａ，３２ｂに固定することで、支持部材６００の移動を規制している。
【０１１７】
ここで、上記の説明と一部重複するが、本陳列装置３０に設置された支持部材６００および仕切り部材３２は、以下の形態とすることができる。まず、図４６に示すように、第１脚部６１０、第２脚部６２０、仕切り部材３２、および天井部６３０が一体として形成された形態を挙げることができる。
【０１１８】
また図４７に示したように、天井部６３０がその中央部にて分割された形態を挙げることができる。この実施形態では、左仕切り部材３２、第１脚部６１０、および天井部６３０の左側領域６３０ａが一体で形成され、また、右仕切り部材３２、第２脚部６２０、および天井部６３０の右側領域６３０ｂが一体で形成されている。この態様の場合、第１脚部６１０、第２脚部６２０、仕切り部材３２、および天井部６３０が一体で形成される場合に比べて金型を小さくできるので、支持部材６００が容易かつ低コストで製造可能となる。
【０１１９】
また、図４８に示したように、第１脚部６１０、第２脚部６２０、および天井部６３０が一体として形成された形態を挙げることができる。この実施形態では、左仕切り部材３２が別部材で構成されている。また、右仕切り部材３２が別部材で構成されている。このため本実施形態では、仕切り部材３２の高さを容易に変更でき、支持部材６００の高さを容易に調整することができる。さらに本実施形態では、左仕切り部材３２と第１脚部６１０とが別々に構成され、右仕切り部材３２と第２脚部６２０とが別々に構成されている。このため、仕切り部材３２の厚みが大きい場合でも、溝６４０（図３参照）の幅が大きい第１脚部６１０、第２脚部６２０に取り替えることが容易となる。また、第１脚部６１０、第２脚部６２０、仕切り部材３２、および天井部６３０の全てを一体として形成する場合に比べて金型が小さくできるので、支持部材６００が容易かつ低コストで製造可能となる。
【０１２０】
また、図４７でも説明したが、図４９に示すように、天井部６３０がその中央部にて分割された形態を挙げることができる。この実施形態では、図４７と同様、第１脚部６１０と天井部６３０の左側領域６３０ａとが一体で形成され、第２脚部６２０と天井部６３０の右側領域６３０ｂとが一体で形成されている。この態様では、第１脚部６１０、第２脚部６２０、および天井部６３０の３つの部材を形成するのではなく、第１脚部６１０と左側領域６３０ａとが一体となった一つの部材、第２脚部６２０と右側領域６３０ｂとが一体となった他の一つの部材の２つの部材を形成することとなる。このため、本実施形態では作成する金型の数を減らすことができる。
【０１２１】
また、図５０に示すように、第１脚部６１０と左仕切り部材３２とが一体として形成され、第２脚部６２０と右仕切り部材３２とが一体として形成され、且つ、天井部６３０が第１脚部６１０および第２脚部６２０とは別体で形成された形態を挙げることができる。
本実施形態では、第１脚部６１０、第２脚部６２０、天井部６３０の各々が別部材で構成されているため、第１脚部６１０と第２脚部６２０との間隔を容易に変更することができる。また、第１脚部６１０、第２脚部６２０、仕切り部材３２、および天井部６３０が一体として形成されている場合に比べて金型が小さくできるので、支持部材６００が容易かつ低コストで製造可能となる。
【０１２２】
さらに、図５１に示すように、第１脚部６１０、第２脚部６２０、天井部６３０、および仕切り部材３２の各々が別部材で構成された形態を挙げることができる。本実施形態では、まず、右仕切り部材３２と左仕切り部材３２とが別部材で構成されているため、右仕切り部材３２と左仕切り部材３２との間隔を容易に変更することができる。また、第１脚部６１０と左仕切り部材３２とが別部材で構成され、第２脚部６２０と右仕切り部材３２とが別部材で構成されているので、仕切り部材３２の高さを容易に変更でき、支持部材６００の高さを容易に調整することができる。また、仕切り部材３２の厚みが大きい場合に、溝６４０（図３参照）の幅が大きい第１脚部６１０、第２脚部６２０に取り替えることが容易となる。また、第１脚部６１０、第２脚部６２０、仕切り部材３２、および天井部６３０が一体として形成される場合に比べて金型を小さくできるので、支持部材６００が容易かつ低コストで製造可能となる。
【符号の説明】
【０１２３】
２０…容器、２３…識別標記、３０…陳列装置、３２…仕切り部材、５０…回転ユニット、５１…第１ガイド、５２…第２ガイド、５５…誘導部材、２５１〜２５６…第１平坦面〜第６平坦面、５２１〜５２６…第１ピン〜第６ピン、６００…支持部材、６１０…第１脚部、６２０…第２脚部、６４０…溝
【図１】
0005610906.tif 000002
【図２】
0005610906.tif 000003
【図３】
0005610906.tif 000004
【図４】
0005610906.tif 000005
【図５】
0005610906.tif 000006
【図６】
0005610906.tif 000007
【図７】
0005610906.tif 000008
【図８】
0005610906.tif 000009
【図９】
0005610906.tif 000010
【図１０】
0005610906.tif 000011
【図１１】
0005610906.tif 000012
【図１２】
0005610906.tif 000013
【図１３】
0005610906.tif 000014
【図１４】
0005610906.tif 000015
【図１５】
0005610906.tif 000016
【図１６】
0005610906.tif 000017
【図１７】
0005610906.tif 000018
【図１８】
0005610906.tif 000019
【図１９】
0005610906.tif 000020
【図２０】
0005610906.tif 000021
【図２１】
0005610906.tif 000022
【図２２】
0005610906.tif 000023
【図２３】
0005610906.tif 000024
【図２４】
0005610906.tif 000025
【図２５】
0005610906.tif 000026
【図２６】
0005610906.tif 000027
【図２７】
0005610906.tif 000028
【図２８】
0005610906.tif 000029
【図２９】
0005610906.tif 000030
【図３０】
0005610906.tif 000031
【図３１】
0005610906.tif 000032
【図３２】
0005610906.tif 000033
【図３３】
0005610906.tif 000034
【図３４】
0005610906.tif 000035
【図３５】
0005610906.tif 000036
【図３６】
0005610906.tif 000037
【図３７】
0005610906.tif 000038
【図３８】
0005610906.tif 000039
【図３９】
0005610906.tif 000040
【図４０】
0005610906.tif 000041
【図４１】
0005610906.tif 000042
【図４２】
0005610906.tif 000043
【図４３】
0005610906.tif 000044
【図４４】
0005610906.tif 000045
【図４５】
0005610906.tif 000046
【図４６】
0005610906.tif 000047
【図４７】
0005610906.tif 000048
【図４８】
0005610906.tif 000049
【図４９】
0005610906.tif 000050
【図５０】
0005610906.tif 000051
【図５１】
0005610906.tif 000052